(57)【要約】【課題】本発明の解決すべき課題は、脂肪酸石鹸系透明石鹸において、透明性を維持しつつ泡質の改善を図ることにある。【解決手段】    主剤となる脂肪酸石鹸部と、透明化剤となる糖・ポリオール部と、を含む透明石鹸において、構成モノマーとしてアクリル酸、塩化メタクリルアミドプロピル４級アンモニウム塩、アクリル酸メチルを含む両性ポリマーを配合することを特徴とする透明石鹸。 【選択図】      なし【特許請求の範囲】
【請求項１】
主剤となる脂肪酸石鹸部と、
透明化剤となる糖・ポリオール部と、
を含む透明石鹸において、
構成モノマーとしてアクリル酸、塩化メタクリルアミドプロピル４級アンモニウム塩、アクリル酸メチルを含む両性ポリマーを配合することを特徴とする透明石鹸。
【請求項２】
請求項１記載の透明石鹸において、前記両性ポリマーは、下記構造式を有することを特徴とする透明石鹸。
【化１】
2012201789.tif 000012
（上記構造式中、Ｒ１，Ｒ２，Ｒ３は同じか異なっており、水素原子、アルキル基（炭素数１〜１８）、フェニル基、アリール基、ヒドロキシアルキル基、アミドアルキル基、シアノアルキル基、アルコキシアルキル基、カルボアルコキシアルキル基を示し、Ｘは３０〜６０、Ｙは３０〜６０、Ｚは５〜２０の各整数である。）
両性ポリマーの分子量は、６０万〜３００万、好ましくは１００万〜２００万の範囲が
【請求項３】
請求項１または２記載の透明石鹸において、前記両性ポリマーの分子量は１００万〜２００万の範囲であることを特徴とする透明石鹸。
【請求項４】
請求項１〜３のいずれかに記載の透明石鹸において、前記両性ポリマーは組成物中０．２〜１．５質量％配合されることを特徴とする透明石鹸
【発明の詳細な説明】
【技術分野】
【０００１】
本発明は透明石鹸、特にその泡質の改良に関する。
【背景技術】
【０００２】
透明石鹸は高級感を与え、商品価値が高いところから、特に洗顔用石鹸などに用いられている。
ところで、従来の透明石鹸は、脂肪酸石鹸を基剤とし、ショ糖、グリセリン、ソルビトール、プロピレングリコールなどの糖類またはポリオール類を透明化剤として使用し、枠ねり法あるいは機械ねり法により製造しているのが通例である（特許文献１，２等）。
【０００３】
このようにして製造された透明石鹸の透明化の構造的メカニズムは、可視光線に対して光学的に不連続な大きさである不透明石鹸の繊維状微結晶群が、主として繊維軸に対して直角に分断されて、それが可視光線の波長以下に微細化されて石鹸が透明化しているものと考えられる。
【０００４】
しかしながら、前述のように糖・ポリオール類の添加を行うと、相対的に石鹸成分の含有量が低下し、泡立ち性、特にきめの細かい泡質を得ることが困難となる。
そのため、従来においても泡質改善のため、カチオンポリマー、あるいは両性ポリマーの配合等が検討されてきた（特許文献３）が、泡質の改善、あるいは洗浄後の肌のツッパリ感の低減に十分な量を配合すると透明性を維持することができず、また凝固点が低下して固化しなくなるという問題があった。
【先行技術文献】
【特許文献】
【０００５】
【特許文献１】特開２０１０−２０２８３５
【特許文献２】特開平１０−１４７８００
【特許文献３】特許第３９７０８６１号
【発明の概要】
【発明が解決しようとする課題】
【０００６】
本発明は前記従来技術に鑑みなされたものであり、その解決すべき課題は透明性を維持しつつ、泡質の改善が図られた透明石鹸を提供することにある。
【課題を解決するための手段】
【０００７】
本発明者らは、透明石鹸の泡質改善について検討を進めた結果、特定の両性ポリマーに優れた泡質改善効果が存在し、しかも透明性に影響を与えないことを見出し、本発明を完成するに至った。
【０００８】
すなわち、本発明にかかる透明石鹸は、
主剤となる脂肪酸石鹸部と、
透明化剤となる糖・ポリオール部と、
を含む透明石鹸において、
構成モノマーとしてアクリル酸、塩化メタクリルアミドプロピル４級アンモニウム塩、アクリル酸メチルを含む両性ポリマーを配合することを特徴とする。
また、前記透明石鹸において、両性ポリマーは、下記構造式を有することが好適である。
【０００９】
【化１】
2012201789.tif 000002
【００１０】
（上記構造式中、Ｒ１，Ｒ２，Ｒ３は同じか異なっており、水素原子、アルキル基（炭素数１〜１８）、フェニル基、アリール基、ヒドロキシアルキル基、アミドアルキル基、シアノアルキル基、アルコキシアルキル基、カルボアルコキシアルキル基を示し、Ｘは３０〜６０、Ｙは３０〜６０、Ｚは５〜２０の各整数である。）
また、前記透明石鹸において、両性ポリマーの分子量は１００万〜２００万の範囲であることが好適である。
【００１１】
以下、本発明の各構成について詳述する。
［脂肪酸石鹸部］
本発明の石鹸で使用される、脂肪酸ナトリウムまたは脂肪酸のナトリウム／カリウムの混合塩における脂肪酸としては、炭素原子数が好ましくは８〜２０、より好ましくは１２〜１８の、飽和または不飽和の脂肪酸であり、直鎖状であっても分岐鎖状であってもよい。具体例としては、例えば、ラウリン酸、ミリスチン酸、パルミチン酸、ステアリン酸、オレイン酸、イソステアリン酸等や、それらの混合物である牛脂脂肪酸、ヤシ油脂肪酸、パーム核油脂肪酸等が挙げられる。
【００１２】
脂肪酸ナトリウムの具体例としては、ラウリン酸ナトリウム、ミリスチン酸ナトリウム、パルミチン酸ナトリウム、ステアリン酸ナトリウム、オレイン酸ナトリウム、イソステアリン酸ナトリウム、牛脂脂肪酸ナトリウム、ヤシ油脂肪酸ナトリウム、パーム核油脂肪酸ナトリウム等が挙げられ、これらは単独で使用してもよいし、２つ以上を混合して使用してもよい。上記の脂肪酸ナトリウムの中でも、ラウリン酸ナトリウム、ミリスチン酸ナトリウム、パルミチン酸ナトリウム、ステアリン酸ナトリウム、オレイン酸ナトリウム、イソステアリン酸ナトリウムが好適に使用できる。
【００１３】
脂肪酸のナトリウム／カリウムの混合塩の具体例としては、ラウリン酸ナトリウム／カリウム、ミリスチン酸ナトリウム／カリウム、パルミチン酸ナトリウム／カリウム、ステアリン酸ナトリウム／カリウム、オレイン酸ナトリウム／カリウム、イソステアリン酸ナトリウム／カリウム、牛脂脂肪酸ナトリウム／カリウム、ヤシ油脂肪酸ナトリウム／カリウム、パーム核油脂肪酸ナトリウム／カリウム等が挙げられ、これらは単独で使用してもよいし、２つ以上を混合して使用してもよい。上記の脂肪酸のナトリウム／カリウムの混合塩の中でも、ラウリン酸ナトリウム／カリウム、ミリスチン酸ナトリウム／カリウム、パルミチン酸ナトリウム／カリウム、ステアリン酸ナトリウム／カリウム、オレイン酸ナトリウム／カリウム、イソステアリン酸ナトリウム／カリウムが好適に使用できる。
【００１４】
本発明の石鹸における、脂肪酸ナトリウムまたは脂肪酸のナトリウム／カリウムの混合塩の含有量は、２０〜５０質量％、特に３０〜４０質量％であることが好ましい。この含有量が２０質量％未満であると、透明性が低下したり、凝固点が低くなるため、長期保存すると表面が溶融して、商品価値を損なうおそれがある。逆に、５０質量％を超えると、やはり透明性が低下したり、使用後につっぱり感が生じるおそれがある。
また、ラウリン酸石鹸とオレイン酸石鹸の合計量は全組成物中２０質量％以下であることが好ましい。
【００１５】
また、脂肪酸のナトリウム／カリウムの混合塩においては、その塩を構成するナトリウムとカリウムとのモル比（ナトリウム／カリウム比）が、１００／０（即ち、脂肪酸ナトリウム）〜７０／３０、特に９０／１０〜８０／２０であることが好ましい。このナトリウム／カリウム比が７０／３０を超えてカリウムの割合が多くなると、凝固点が低くなるため、長期保存すると表面が溶融して、商品価値を損なうおそれがある。また、硬度が低下したり、使用時の溶け減りが大きくなったり、高温多湿の条件下で発汗が生じたり、使用途中に表面が白濁化するおそれがある。
【００１６】
［糖・ポリオール部］
本発明において好適に用いられる糖・ポリオールとしては、マルチトール、ソルビトール、グリセリン、１，３−ブチレングリコール、プロピレングリコール、ポリエチレングリコール、砂糖、ピロリドンカルボン酸、ピロリドンカルボン酸ナトリウム、ヒアルロン酸、ポリオキシエチレンアルキルグルコシドエーテル等が例示され、組成物中２０〜６０質量％配合することが好適である。
特に、透明性とともに良好な使用性を得るため、糖・ポリオール部中、糖及び糖アルコールと、ポリオールの比は、４０〜６０：６０〜４０であることが好ましい。
【００１７】
［両性ポリマー］
本発明にかかる両性ポリマーは構成モノマーとしてアクリル酸、塩化メタクリルアミドプロピル４級アンモニウム塩、アクリル酸メチルを含むものであり、具体的には下記構造を有する。
【００１８】
【化２】
2012201789.tif 000003
【００１９】
上記構造式中、Ｒ１，Ｒ２，Ｒ３は同じか異なっており、水素原子、アルキル基（炭素数１〜１８）、フェニル基、アリール基、ヒドロキシアルキル基、アミドアルキル基、シアノアルキル基、アルコキシアルキル基、カルボアルコキシアルキル基を示し、Ｘは３０〜６０、Ｙは３０〜６０、Ｚは５〜２０の各整数である。
【００２０】
両性ポリマーの分子量は、６０万〜３００万、好ましくは１００万〜２００万の範囲が好ましい。
また、組成物中の両性ポリマーの配合量は、実分として０．２〜１．５質量％、好ましくは０．４〜１．０質量％である。
市販品としては、マーコート２００１（ナルコ社製）が挙げられる。
【００２１】
［両性界面活性剤］
本発明にかかる透明石鹸は、以下の両性界面活性剤を非脂肪酸石鹸系界面活性剤として含むことが好適である。
本発明の透明石鹸で使用され得る両性界面活性剤としては、下記化学式（Ａ）〜（Ｃ）で表される両性界面活性剤が挙げられる。
【００２２】
【化３】
2012201789.tif 000004
【００２３】
［式中、Ｒ1は、炭素原子数７〜２１のアルキル基またはアルケニル基を表し、ｎおよびｍは、同一または相異なって、１〜３の整数を表し、Ｚは、水素原子または（ＣＨ2）pＣＯＯＹ（ここで、ｐは１〜３の整数であり、Ｙは、アルカリ金属、アルカリ土類金属または有機アミンである。）を表す。］、
【００２４】
【化４】
2012201789.tif 000005
【００２５】
［式中、Ｒ2は、炭素原子数７〜２１のアルキル基またはアルケニル基を表し、Ｒ3およびＲ4は、同一または相異なって、低級アルキル基を表し、Ａは、低級アルキレン基を表す。］、および
【００２６】
【化５】
2012201789.tif 000006
【００２７】
［式中、Ｒ5は、炭素原子数８〜２２のアルキル基またはアルケニル基を表し、Ｒ6およびＲ7は、同一または相異なって、低級アルキル基を表す。］。
【００２８】
化学式（Ａ）において、Ｒ1の「炭素原子数７〜２１のアルキル基」は、直鎖状でも分岐鎖状でもよく、炭素原子数は好ましくは７〜１７である。また、Ｒ1の「炭素原子数７〜２１のアルケニル基」は、直鎖状でも分岐鎖状でもよく、炭素原子数は好ましくは７〜１７である。また、Ｙの「アルカリ金属」としては、ナトリウム、カリウム等が挙げられ、「アルカリ土類金属」としては、カルシウム、マグネシウム等が挙げられ、「有機アミン」としては、モノエタノールアミン、ジエタノールアミン、トリエタノールアミン等が挙げられる。
【００２９】
化学式（Ａ）で表される両性界面活性剤の具体例としては、イミダゾリニウムベタイン型、例えば、２−ウンデシル−Ｎ−カルボキシメチル−Ｎ−ヒドロキシエチルイミダゾリウムベタイン（ラウリン酸より合成されたもの、以下、便宜上「ラウロイルイミダゾリニウムベタイン」ともいう）、２−ヘプタデシル−Ｎ−カルボキシメチル−Ｎ−ヒドロキシエチルイミダゾリウムベタイン（ステアリン酸より合成されたもの）、ヤシ油脂肪酸より合成された２−アルキルまたはアルケニル−Ｎ−カルボキシメチル−Ｎ−ヒドロキシエチルイミダゾリウムベタイン（Ｒ1がＣ7〜Ｃ17の混合物、以下、便宜上、「ココイルイミダゾリニウムベタイン」ともいう）等が挙げられる。
【００３０】
化学式（Ｂ）において、Ｒ2の「炭素原子数７〜２１のアルキル基」および「炭素原子数７〜２１のアルケニル基」は、化学式（Ａ）のＲ1と同様である。また、Ｒ3、Ｒ4の「低級アルキル基」は、直鎖状または分岐鎖状の、好ましくは炭素原子数が１〜３のアルキル基である。さらに、Ａの「低級アルキレン基」は、直鎖状または分岐鎖状の、好ましくは炭素原子数が３〜５のアルキレン基である。
【００３１】
化学式（Ｂ）で表される両性界面活性剤（アミドアルキルベタイン型）の具体例としては、アミドプロピルベタイン型、例えば、ヤシ油脂肪酸アミドプロピルジメチルアミノ酢酸ベタイン（Ｒ2がＣ7〜Ｃ17の混合物）等が挙げられる。
【００３２】
化学式（Ｃ）において、Ｒ5の「炭素原子数８〜２２のアルキル基」は、直鎖状でも分岐鎖状でもよく、炭素原子数は好ましくは８〜１８である。また、Ｒ5の「炭素原子数８〜２２のアルケニル基」は、直鎖状でも分岐鎖状でもよく、炭素原子数は好ましくは８〜１８である。さらに、Ｒ6、Ｒ7の「低級アルキル基」は、化学式（Ｂ）のＲ3、Ｒ4と同様である。
【００３３】
化学式（Ｃ）で表される両性界面活性剤（アルキルベタイン型）の具体例としては、ラウリルジメチルアミノ酢酸ベタイン、ヤシ油脂肪酸より合成されたアルキルまたはアルケニルジメチルアミノ酢酸ベタイン（Ｒ5がＣ8〜Ｃ18の混合物）等が挙げられる。
【００３４】
本発明においては、上記化学式（Ａ）〜（Ｃ）で表される両性界面活性剤からなる群より少なくとも１つが選択されて使用される。複数使用する場合、上記化学式（Ａ）で表される両性界面活性剤を複数使用しても、上記化学式（Ｂ）で表される両性界面活性剤を複数使用しても、上記化学式（Ｃ）で表される両性界面活性剤を複数使用してもよい。
【００３５】
上記の両性界面活性剤の中でも、上記化学式（Ａ）で表される両性界面活性剤のうちのイミダゾリニウムベタイン型、特にココイルイミダゾリニウムベタインが特に好適に使用される。
【００３６】
本発明の透明石鹸においては、上記の両性界面活性剤を配合することにより、脂肪酸石鹸（脂肪酸ナトリウムまたは脂肪酸のナトリウム／カリウムの混合塩）と両性界面活性剤が複合塩を形成し、硬度が向上する等の作用が発揮される。
【００３７】
本発明の透明石鹸における上記の両性界面活性剤の含有量は、２〜１０質量％、特に４〜８質量％が好ましい。この含有量が２質量％未満であると、凝固点が低くなるため、長期保存すると表面が溶融して、商品価値を損なうおそれがある。また、硬度が低下するおそれがある。逆に、１０質量％を超えると、使用後にベタツキ感を生じ、また、長期保存すると表面が褐色に変質して商品価値を損なうおそれがある。
【００３８】
［ヒドロキシアルキルエーテルカルボン酸塩型界面活性剤］
本発明にかかる透明石鹸にはヒドロキシアルキルエーテルカルボン酸塩型界面活性剤を添加することが好適であり、泡立ちの改善が認められる。
本発明において好適なヒドロキシアルキルエーテルカルボン酸塩型界面活性剤は下記構造（Ｄ）を有する。
【００３９】
【化６】
2012201789.tif 000007
【００４０】
（式中、Ｒ１は炭素原子数４〜３４の飽和又は不飽和の炭化水素基を表し；Ｘ１、Ｘ２のいずれか一方は−ＣＨ２ＣＯＯＭ１を表し、他方は水素原子を表し；Ｍ１は水素原子、アルカリ金属類、アルカリ土類金属類、アンモニウム、低級アルカノールアミンカチオン、低級アルキルアミンカチオン、又は塩基性アミノ酸カチオンを表す。）
【００４１】
式中、Ｒ１は芳香族炭化水素、直鎖状又は分岐状脂肪族炭化水素のいずれでもよいが、脂肪族炭化水素、特にアルキル基、アルケニル基が好ましい。例えば、ブチル基、オクチル基、デシル基、ドデシル基、テトラデシル基、ヘキサデシル基、オクタデシル基、ドコシル基、２−エチルヘキシル基、２−ヘキシルデシル基、２−オクチルウンデシル基、２−デシルテトラデシル基、２−ウンデシルヘキサデシル基、デセニル基、ドデセニル基、テトラデセニル基、ヘキサデセニル基等が好ましい例として挙げられ、中でもデシル基、ドデシル基が界面活性能力の面で優れている。
【００４２】
また、式中、Ｘ１、Ｘ２のいずれか一方は−ＣＨ２ＣＯＯＭ１で表されるが、Ｍ１としては、水素原子、リチウム、カリウム、ナトリウム、カルシウム、マグネシウム、アンモニウム、モノエタノールアミン、ジエタノールアミン、トリエタノールアミン等が挙げられる。
【００４３】
具体的には、上記（Ａ）ヒドロキシアルキルエーテルカルボン酸塩型界面活性剤のうち、ドデカン−１，２−ジオールのいずれかのＯＨ基のＨが−ＣＨ２ＣＯＯＮａで置換されたドデカン−１，２−ジオール・酢酸エーテルナトリウムが本発明で最も好ましい。
なお、本発明においてヒドロキシアルキルエーテルカルボン酸塩型界面活性剤は、泡立ちを改善する観点から０．５〜１０質量％、好ましくは０．７〜５質量％配合することができる。
【００４４】
［ノニオン界面活性剤］
本発明の透明石鹸には、非脂肪酸石鹸系界面活性剤として、さらにノニオン界面活性剤を配合してもよい。使用され得るノニオン界面活性剤としては、ポリオキシエチレン（以下、ＰＯＥともいう）硬化ヒマシ油、ポリオキシエチレン２−オクチルドデシルエーテル、ポリオキシエチレンラウリルエーテル、プロピレンオキシドエチレンオキシド共重合ブロックポリマー、ポリオキシエチレンポリオキシプロピレンセチルエーテル、ポリオキシエチレンポリオキシプロピレングリコール、ジイソステアリン酸ポリエチレングリコール、アルキルグルコシド、ポリオキシエチレン変性シリコン（例えば、ポリオキシエチレンアルキル変性ジメチルシリコン）、ポリオキシエチレングリセリンモノステアレート、ポリオキシエチレンアルキルグルコシド等が挙げられる。これらは、単独で使用してもよいし、２つ以上を混合して使用してもよい。上記のノニオン界面活性剤の中でも、ポリオキシエチレン硬化ヒマシ油、プロピレンオキシドエチレンオキシド共重合ブロックポリマーが好適に使用できる。
【００４５】
本発明の透明石鹸においては、ノニオン界面活性剤を配合することにより、脂肪酸石鹸由来の刺激性低下作用が発揮される。
【００４６】
本発明の透明石鹸におけるノニオン界面活性剤の含有量は、２〜１５質量％、特に６〜１２質量％が好ましい。この含有量が２質量％未満であると、使用後につっぱり感が生じるおそれがある。逆に、１５質量％を超えると、凝固点が低くなるため、長期保存すると表面が溶融して、商品価値を損なうおそれがある。さらに、使用後にベタツキ感が生じるおそれがある。
【００４７】
［キレート剤］
また、本発明にかかる透明石鹸に、エデト酸３ナトリウム２水和物等のキレート剤を添加することが好適である。
【００４８】
また、本発明において好適に用いられるキレート剤としては、ヒドロキシエタンジホスホン酸及びその塩が挙げられ、さらに好ましくは、ヒドロキシエタンジホスホン酸である。配合量としては、０．００１〜１．０質量％であり、さらに好ましくは０．１〜０．５質量％である。ヒドロキシエタンジホスホン酸及びその塩の配合量が０．００１質量％より少ない場合は、キレート効果が不十分となり、経時で黄変等の不都合を生じ、１．０質量％より多いと皮膚への刺激が強くなり、好ましくない。
【００４９】
［その他］
本発明に配合され得る他の添加剤としては、上記した作用を損なわない範囲内で、次のような成分を任意に配合することができる。この任意成分としては、トリクロロカルバニリド、ヒノキチオール等の殺菌剤；油分；香料；色素；紫外線吸収剤；酸化防止剤；グリチルリチン酸ジカリウム、オオバコエキス、レシチン、サポニン、アロエ、オオバク、カミツレ等の天然抽出物；非イオン性、カチオン性あるいはアニオン性の水溶性高分子；乳酸エステル等の使用性向上剤等である。
【００５０】
また、本発明にかかる透明石鹸にキレート剤を用いる場合には、ヒドロキシエタンジホスホン酸及びその塩が好適に例示され、さらに好ましくは、ヒドロキシエタンジホスホン酸である。配合量としては、０．００１〜１．０質量％であり、さらに好ましくは０．１〜０．５質量％である。ヒドロキシエタンジホスホン酸及びその塩の配合量が０．００１質量％より少ない場合は、キレート効果が不十分となり、経時で黄変等の不都合を生じ、１．０質量％より多いと皮膚への刺激が強くなり、好ましくない。
【００５１】
本発明の石鹸の製造方法については、上記した各成分の混合物に枠練り法、機械練り法等の一般的な方法を適用することができる。
また、本発明の石鹸は、基本的に透明であるが、顔料等の配合により透明性が低下したものも含まれる。
【発明の効果】
【００５２】
以上説明したように本発明にかかる石鹸によれば、特定の両性ポリマーを添加することにより、良好な透明性を維持しつつ泡質の改善を図ることができる。
【発明を実施するための形態】
【００５３】
以下、本発明の好適な実施形態について説明する。
本発明者らは脂肪酸石鹸系透明石鹸の泡立ち性改善を検討するため、次のような基本処方を用いて検討を行った。なお、配合量は質量％で示す。
また、以下の実施形態において、泡個数は顕微観察により０．５５ｍｍ２領域の泡個数を実測した。
また、平均粒子径は泡の顕微観察により算出した。
【００５４】
まず、本発明者らは、下記石鹸部、糖・糖・ポリオール部、およびその他からなる基本処方の石鹸を用いて透明石鹸の製造を試みた。
【００５５】
基本処方１
脂肪酸石鹸部                                              ４０．０％
ラウリン酸                                              ２０部
ミリスチン酸                                            ４０部
パルミチン酸                                            １０部
ステアリン酸                                            ２０部
イソステアリン酸                                          ５部
ヒマシ油                                                  ５部
水酸化ナトリウム：水酸化カリウム＝８０：２０（モル比）で中和
糖・ポリオール部                                          ３０．０％
ソルビトール                                            ７７部
ショ糖                                                    ８部
オキシプロピレン（７）グリセリルエーテル                １５部
その他                                                    ３０．０％
エチルアルコール                                        １５部
ドデカン−１，２−ジオール酢酸エーテルナトリウム          ４部
イオン交換水                                              残部
【００５６】
まず、本発明者らは、前記基本処方１に対し、以下のモノマー組成（モル比）のポリマーの添加を行い、石鹸の性状について検討を行った。
【００５７】
【表１】
2012201789.tif 000008
【００５８】
ＡＡ：アクリル酸
ＤＡＤＭＡＣ：ジアリル  ジメチル  アンモニウムクロライド
ＭＡＰＴＡＣ：メタクリルアミドプロピル  トリメチル  アンモニウム  クロライド
ＡＭ：アクリルアミド
ＭＡ：メチルアクリレート
結果を表２に示す。
【００５９】
【表２】
2012201789.tif 000009
【００６０】
前記表２より明らかなように、ポリマー１を０．２％（実分）添加した場合には、無添加の場合と比較して泡個数が若干増加するが、泡の平均粒子径はほとんど変化せず、単に泡が増えたのみで、クリーミーな泡質を得ることはできなかった。これに対しポリマー１を０．４％配合すると、無添加の場合に比較し泡個数が約２倍となり、泡の平均粒子径も細かくクリーミーな状態となるが、一方で凝固点が４０℃を下回り、固化が困難となる。特に石鹸は浴室等で使用される場合もあり、４０℃以下に凝固点が降下すると形態の維持にも支障を生じる場合がある。
また、ポリマー２を０．４％添加した場合にも泡個数、平均粒子径の改善は認められるものの凝固点は４０℃をわずかに下回り、しかも不透明となる。
【００６１】
これに対し、本発明のポリマー（ポリマー３）を用いた場合には、凝固点、透明感、泡質のいずれも有効に改善された。
次に本発明者らは他の石鹸処方についても、ポリマー３の添加効果を確認した。
【００６２】
基本処方２
脂肪酸石鹸部                                              ３０．０％
ラウリン酸                                                ２３部
ミリスチン酸                                              ５７部
ステアリン酸                                              ２０部
水酸化ナトリウム：水酸化カリウム＝８０：２０（モル比）で中和
両性、ノニオン界面活性剤                                  １５．０％
ドデカン−１，２−ジオール酢酸エーテルナトリウム          ７．２部
Ｎ−ラウロイル−Ｎ’−カルボキシメチル−Ｎ’−ヒドロキシエチルエチレンジアミン
ナトリウム                                                ３．１部
ＰＥＧ−６０水添ヒマシ油                                  ５．０部
糖・ポリオール部                                          ３０．０％
ジプロピレングリコール                                    ３．５部
ＰＥＧ１５００                                            ２．０部
濃グリセリン                                            １３．０部
ショ糖                                                  １１．５部
その他                                                      残部
エチルアルコール                                        １０部
イオン交換水                                              残部
結果を表３に示す。
【００６３】
【表３】
2012201789.tif 000010
【００６４】
基本処方２の系においても、前記基本処方１と同様の傾向が認められ、ポリマー１の添加では十分な泡質の改善が図られず、またポリマー２の添加では泡質の改善はある程度認められるものの、不透明となる。
これに対し、本発明にかかる両性ポリマー３を用いた場合には、透明性に影響を与えずに泡質の改善を図ることができる。
さらに本発明者らは、前記基本処方２を用い、ポリマー３の添加量について検討を行った。
結果を次の表４に示す。
【００６５】
【表４】
2012201789.tif 000011
【００６６】
表４より、両性ポリマー３の配合量（実分）は０．1〜２．０％、好ましくは０．２〜１．５％であることが理解される。